(57)【要約】【課題】  受信した緊急放送又は臨時放送に直接的に関連する相手を確実に検索して、その相手に緊急放送又は臨時放送の情報を転送できるようにする。【解決手段】  ＣＰＵ１は、テレビ受像部によって受信された緊急放送又は臨時放送の情報がアドレスメモリ１０に記憶されているユーザの住所に関連するか否かを照合して、照合によって緊急放送又は臨時放送の情報がユーザの住所に関連する場合には、アドレスメモリ１０のメールアドレスの中から、照合した住所に対応するメールアドレスを抽出し、その抽出したメールアドレスの電話に対して緊急放送又は臨時放送の情報を送信する。【選択図】  図１
2005277630.tif 000002
【特許請求の範囲】
【請求項１】
テレビジョン放送を受信する受信手段と、
少なくとも１つ以上の通信端末装置のアドレスおよびそのユーザに関する地域情報を記憶しているアドレス記憶手段と、
前記受信手段によって受信された緊急放送又は臨時放送の情報が前記アドレス記憶手段に記憶されている地域情報に関連するか否かを照合する情報照合手段と、
前記情報照合手段によって緊急放送又は臨時放送の情報が前記アドレス記憶手段に記憶されている地域情報に関連すると照合された場合には、前記アドレス記憶手段から当該地域情報に対応するアドレスを抽出するアドレス抽出手段と、
前記アドレス抽出手段によって抽出されたアドレスの通信端末装置に対して緊急放送又は臨時放送の情報を送信する送信手段と、
を備えた通信端末装置。
【請求項２】
前記情報照合手段は、前記受信手段によって受信された緊急放送又は臨時放送が前記アドレス記憶手段に記憶されている地域情報に対応する地域向けの放送であるか否かを照合することを特徴とする請求項１に記載の通信端末装置。
【請求項３】
前記情報照合手段は、前記アドレス記憶手段又は他の記憶手段にあらかじめ記憶されている地域識別情報に基づいて、前記受信手段によって受信された緊急放送又は臨時放送が前記アドレス記憶手段に記憶されている地域情報に対応する地域向けの放送であるか否かを照合することを特徴とする請求項２に記載の通信端末装置。
【請求項４】
前記情報照合手段は、前記受信手段によって受信された緊急放送又は臨時放送の情報に含まれている地域情報が登録操作によって前記アドレス記憶手段に記憶されているキーワードと一致するか否かを照合することを特徴とする請求項１に記載の通信端末装置。
【請求項５】
前記アドレス記憶手段の各アドレスには前記受信手段によって受信された緊急放送又は臨時放送の情報を自動的に送信することを識別する送信識別情報が登録操作に応じて付加され、前記アドレス抽出手段は、前記受信手段によって受信された緊急放送又は臨時放送の情報と関連する地域情報に対応するアドレスの中から送信識別情報が付加されているアドレスのみを抽出することを特徴とする請求項１に記載の通信端末装置。
【請求項６】
前記アドレス抽出手段によって抽出されたアドレスの通信端末装置に対して送信する緊急放送又は臨時放送の情報および前記送信識別情報に対応する内容を所定の表示手段に表示する表示制御手段をさらに備えたことを特徴とする請求項５に記載の通信端末装置。
【請求項７】
前記受信手段によって受信された緊急放送又は臨時放送の情報を前記アドレス抽出手段によって抽出されたアドレスの通信端末装置に対して送信する指示および送信を取り消す指示を所定の表示手段に表示する表示制御手段をさらに備え、前記送信手段は、前記送信する指示が操作に応じて選択された場合に前記受信手段によって受信された緊急放送又は臨時放送の情報を送信することを特徴とする請求項１に記載の通信端末装置。
【請求項８】
前記アドレス抽出手段によって抽出されたアドレスの通信端末装置に対して送信する緊急放送又は臨時放送の情報にテキストデータ以外の図若しくは表からなる画像又は図および表からなる画像が含まれている場合には、その画像を削除してテキストデータのみを抽出する編集手段をさらに備え、前記送信手段は前記編集手段によって抽出されたテキストデータを送信することを特徴とする請求項１に記載の通信端末装置。
【請求項９】
前記アドレス抽出手段によって抽出されたアドレスの通信端末装置に対して送信する緊急放送又は臨時放送の情報にテキストデータ以外の静止画又は動画からなる画像が含まれている場合には、その画像をテキストデータの添付ファイルとして編集する編集手段をさらに備え、前記送信手段は前記編集手段によって編集されたテキストデータおよび添付ファイルを送信することを特徴とする請求項１に記載の通信端末装置。
【請求項１０】
同一のユーザに対応する複数のアドレスが前記アドレス抽出手段によって抽出された場合には、前記通信手段は、携帯型の通信端末装置のアドレスに対して優先的に前記受信手段によって受信された緊急放送又は臨時放送の情報を送信することを特徴とする請求項１に記載の通信端末装置。
【請求項１１】
前記アドレス抽出手段によって抽出されたアドレスの通信端末装置に対して送信する緊急放送又は臨時放送の情報に受信した日時を付加する編集手段をさらに備え、前記送信手段は日時が付加された緊急放送又は臨時放送の情報を送信することを特徴とする請求項１記載の通信端末装置。
【請求項１２】
テレビジョン放送を受信する第１のステップと、
前記第１のステップによって受信された緊急放送又は臨時放送の情報が少なくとも１つ以上の通信端末装置のアドレスおよびそのユーザに関する地域情報を記憶しているアドレス記憶手段における地域情報と関連するか否かを照合する第２のステップと、
前記第２のステップによって緊急放送又は臨時放送の情報が前記アドレス記憶手段に記憶されている地域情報に関連すると照合された場合には、前記アドレス記憶手段のアドレスの中から当該地域情報に対応するアドレスを抽出する第３のステップと、
前記第３のステップによって抽出されたアドレスの通信端末装置に対して緊急放送又は臨時放送の情報を送信する第４のステップと、
を実行する通信制御処理のプログラム。
【発明の詳細な説明】
【技術分野】
【０００１】
本発明は、通信端末装置および通信制御処理のプログラムに関し、特に、地上波ディジタル放送などのテレビジョン放送を受信するための通信端末装置および通信制御処理のプログラムに関するものである。
【背景技術】
【０００２】
近年、携帯電話などの通信端末装置において、電話やメールの送受信の機能のほかに、昨年１２月から一部の地域で開始された地上波ディジタル放送を受信する機能を新たに付加する方針が出されている。
ある提案のディジタル放送受信装置においては、ディジタル放送に重畳されたデータ信号の中から必要な情報を自動的に電話回線を介して所定の端末に送信する機能が記載されている。この機能によれば、緊急事態が発生した放送を受信した場合に、他の地域に住んでいる知人へ、その緊急事態の発生を知らせたい場合には、アドレス帳の設定画面の緊急時の連絡先に○を記入する。そして、例えば大阪で緊急事態が発生したことを示すコードが、放送のデータ（伝送制御信号ＴＭＣＣ）に入っていた場合、その情報を検知し、アドレス帳を参照し、その地域に対応した知人のアドレスに○が記入されているときは、その知人に対して自動的に電話をして、あらかじめ指定しておいた音声のメッセージなどで緊急事態を知らせるようになっている。（特許文献１）
【特許文献１】特開２０００−２９５５８８号公報
【発明の開示】
【発明が解決しようとする課題】
【０００３】
しかしながら、上記特許文献１においては、放送の情報の中で緊急事態が発生した地域が、その緊急事態を知らせたい相手が住んでいる地域と同じであることをどのようにして照合するかについては、何ら記載されていない。例えば、「大阪のＥＥＥ市において火災が発生しました。火災現場は○○町３丁目１２−１の××さん宅です。」という緊急放送を受信した場合に、この緊急放送の「大阪」とアドレス帳に登録されている知人の住所の「大阪」とを照合する手段が記載されていない。実際に照合する場合には、この緊急事態の文の中から名詞「大阪」、「ＥＥＥ市」、「火災」、「現場」、「○○町」、「３丁目」、「１２」、「１」、「××」の９個をキーワードとして抽出して、単独のキーワードおよび複数のキーワードの組み合わせとアドレス帳の内容とを比較することになる。
複数のキーワードを含む２つのファイルデータ同士を比較して、一致するキーワードの有無を照合することは理論的には可能でも、実施するのは困難である
。例えば、アドレス帳に１００個のキーワードがあるとすると、９個のキーワードのそれぞれをアドレス帳の単独のキーワードと照合するだけでも、実に９００回の照合処理が必要になる。通常、精度の高い照合結果を得るためには、複数のキーワード同士が一致する必要があるので、膨大な回数の照合処理を必要とする。したがって、２つのファイルデータ同士を比較して、複数のキーワードを照合することは不可能に近い。
仮に、単独のキーワードである「大阪」という文字のデータを図４のアドレス帳の地域の中から照合することができたとしても、その知人の住所が同じ大阪でもＥＥＥ市から遠く離れたＦＦＦ市である場合には、その知人に緊急事態を知らせても、突然の電話で知人を驚かすばかりであり、迷惑電話と同じになってしまう。
本発明は、受信した緊急放送又は臨時放送に直接的に関連する相手を確実に検索して、その相手に緊急放送又は臨時放送の情報を転送できる優れた通信端末装置および通信制御処理のプログラムを提供することを目的とする。
【課題を解決するための手段】
【０００４】
請求項１記載の通信端末装置は、テレビジョン放送を受信する受信手段(実施形態においては、図１のテレビ受像部に相当する)と、少なくとも１つ以上の通信端末装置のアドレスおよびそのユーザに関する地域情報を記憶しているアドレス記憶手段(実施形態においては、図１のアドレスメモリ１０に相当する)と、受信手段によって受信された緊急放送又は臨時放送の情報がアドレス記憶手段に記憶されている地域情報に関連するか否かを照合する情報照合手段(実施形態においては、図１のＣＰＵ１の機能に相当する)と、情報照合手段によって緊急放送又は臨時放送の情報がアドレス記憶手段に記憶されている地域情報に関連すると照合された場合には、アドレス記憶手段のアドレスの中から当該地域情報に対応するアドレスを抽出するアドレス抽出手段(実施形態においては、図１のＣＰＵ１の機能に相当する)と、アドレス抽出手段によって抽出されたアドレスの通信端末装置に対して緊急放送又は臨時放送の情報を送信する送信手段(実施形態においては、図１のＣＰＵ１およびＲＦブロック４に相当する)と、を備えた構成になっている。
【０００５】
請求項１の通信端末装置において、請求項２に記載したように、情報照合手段は、受信手段によって受信された緊急放送又は臨時放送がアドレス記憶手段に記憶されている地域情報に対応する地域向けの放送であるか否かを照合するような構成にしてもよい。
さらに、請求項２の通信端末装置において、請求項３に記載したように、情報照合手段は、アドレス記憶手段又は他の記憶手段(実施形態においては、図示しない他の不揮発性メモリに相当する)にあらかじめ記憶されている地域識別情報(実施形態においては、６桁の数字からなる地域コードに相当する)に基づいて、受信手段によって受信された緊急放送又は臨時放送がアドレス記憶手段に記憶されている地域情報に対応する地域向けの放送であるか否かを照合するような構成にしてもよい。
【０００６】
請求項１の通信端末装置において、請求項４に記載したように、情報照合手段は、受信手段によって受信された緊急放送又は臨時放送の情報に含まれている地域情報が登録操作によってアドレス記憶手段に記憶されているキーワードと一致するか否かを照合するような構成にしてもよい。
【０００７】
請求項１の通信端末装置において、請求項５に記載したように、アドレス記憶手段の各アドレスには受信手段によって受信された緊急放送又は臨時放送の情報を自動的に送信することを識別する送信識別情報(実施形態においては、送付フラグ「１」に相当する)が登録操作に応じて付加され、アドレス抽出手段は、受信手段によって受信された緊急放送又は臨時放送の情報と関連する地域情報に対応するアドレスの中から送信識別情報が付加されているアドレスのみを抽出するような構成にしてもよい。
さらに、請求項５の通信端末装置において、請求項６に記載したように、アドレス抽出手段によって抽出されたアドレスの通信端末装置に対して送信する緊急放送又は臨時放送の情報および送信識別情報に対応する内容を所定の表示手段(実施形態においては、図１の表示部１３又は１４に相当する)に表示する表示制御手段(実施形態においては、図１のＣＰＵ１および表示ドライバ１２に相当する)をさらに備えた構成にしてもよい。
【０００８】
請求項１の通信端末装置において、請求項７に記載したように、受信手段によって受信された緊急放送又は臨時放送の情報をアドレス抽出手段によって抽出されたアドレスの通信端末装置に対して送信する指示(実施形態においては、図１３ないし図１５の「送信」アイコンに相当する)および送信を取り消す指示(実施形態においては、図１３ないし図１５の「キャンセル」アイコンに相当する)を所定の表示手段(実施形態においては、図１の表示部１３又は１４に相当する)に表示する表示制御手段(実施形態においては、図１のＣＰＵ１および表示ドライバ１２に相当する)をさらに備え、送信手段は、送信する指示が操作に応じて選択された場合に受信手段によって受信された緊急放送又は臨時放送の情報を送信するような構成にしてもよい。
【０００９】
請求項１の通信端末装置において、請求項８に記載したように、アドレス抽出手段によって抽出されたアドレスの通信端末装置に対して送信する緊急放送又は臨時放送の情報にテキストデータ以外の図若しくは表からなる画像又は図および表からなる画像が含まれている場合には、その画像を削除してテキストデータのみを抽出する編集手段(実施形態においては、図１のＣＰＵ１の機能に相当する)をさらに備え、送信手段は編集手段によって抽出されたテキストデータを送信するような構成にしてもよい。
【００１０】
請求項１の通信端末装置において、請求項９に記載したように、アドレス抽出手段によって抽出されたアドレスの通信端末装置に対して送信する緊急放送又は臨時放送の情報にテキストデータ以外の静止画又は動画からなる画像が含まれている場合には、その画像をテキストデータの添付ファイルとして編集する編集手段(実施形態においては、図１のＣＰＵ１の機能に相当する)をさらに備え、送信手段は編集手段によって編集されたテキストデータおよび添付ファイルを送信するような構成にしてもよい。
【００１１】
請求項１の通信端末装置において、請求項１０に記載したように、同一のユーザに対応する複数のアドレスがアドレス抽出手段によって抽出された場合には、通信手段は、携帯型の通信端末装置のアドレスに対して優先的に受信手段によって受信された緊急放送又は臨時放送の情報を送信するような構成にしてもよい。
【００１２】
請求項１の通信端末装置において、請求項１１に記載したように、アドレス抽出手段によって抽出されたアドレスの通信端末装置に対して送信する緊急放送又は臨時放送の情報に受信した日時を付加する編集手段(実施形態においては、図１のＣＰＵ１の機能に相当する)をさらに備え、送信手段は日時が付加された緊急放送又は臨時放送の情報を送信するような構成にしてもよい。
【００１３】
請求項１２に記載の通信制御処理のプログラムは、テレビジョン放送を受信する第１のステップと、第１のステップによって受信された緊急放送又は臨時放送の情報が少なくとも１つ以上の通信端末装置のアドレスおよびそのユーザに関する地域情報を記憶しているアドレス記憶手段(実施形態においては、図１のアドレスメモリ１０に相当する)における地域情報と関連するか否かを照合する第２のステップと、第２のステップによって緊急放送又は臨時放送の情報がアドレス記憶手段に記憶されている地域情報に関連すると照合された場合には、アドレス記憶手段のアドレスの中から当該地域情報に対応するアドレスを抽出する第３のステップと、第３のステップによって抽出されたアドレスの通信端末装置に対して緊急放送又は臨時放送の情報を送信する第４のステップと、を実行する。
なお、各ステップは、実施形態においては、図１のＣＰＵ１によって実行される処理に相当する。
【発明の効果】
【００１４】
本発明の通信端末装置および通信制御処理のプログラムによれば、緊急放送又は臨時放送を受信した際に、それに直接的に関連する相手を確実に検索して、その相手に緊急放送又は臨時放送の情報を転送できるという効果が得られる。
【発明を実施するための最良の形態】
【００１５】
以下、本発明による通信端末装置の実施形態について、携帯電話を例に採って図１ないし図１５を参照して説明する。
図１は、実施形態における携帯電話の構成を示す概略のブロック図である。
図１において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ（直交周波数分割多重）復調部６、映像復号部７、音声復号部８、スイッチ部９、アドレスメモリ１０、および、画像メモリ１１が接続されている。なお、図１において、点線で囲まれているチューナ５、ＯＦＤＭ復調部６、映像復号部７、および音声復号部８は、地上波ディジタル放送の映像・音声信号を取り込むテレビ受像部を構成している。このテレビ受像部の電源は、携帯電話の回路の電源とは独立した構成になっている。
【００１６】
ＣＰＵ１には、表示ドライバ１２を介して２つの表示部１３およびサブ表示部１４が接続されている。この携帯電話は、ＣＰＵ１などの電子部品やスイッチ部９を収容する本体と、表示部１３、サブ表示部１４などを収容する蓋部とが、ヒンジなどによって開閉可能な構造になっている。さらに、本体や蓋部には、マイク１５、スピーカ１６、イヤホン１７が設けられ、ドライバ（図示せず）を介してＣＰＵ１に接続されている。
【００１７】
ＲＯＭ２には、他の携帯電話と通話やメールの送受信を行なう通信制御処理のプログラム、地上波ディジタル放送の受信処理や受信した映像信号を表示する表示処理および音声処理などの信号処理のプログラム、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、送信するメールをストアするエリア、受信したメールをストアするエリアなどが設けられている。ＲＦブロック４は、電話通信網との間で電話やメールを送受信するための構成要素として、無線送受信部、無線信号処理部、音声信号処理部など（いずれも図示せず）を備えている。
【００１８】
チューナ５は、地上波ディジタル放送を受信して高周波増幅などの信号処理を行う。ＯＦＤＭ復調部６は、チューナ５から得られるＯＦＤＭ変調された信号を復調して、地上波ディジタル放送の映像および音声の符号化データを出力する。映像復号部７は、ＯＦＤＭ復調部６から出力された映像の符号化データを復号してディジタル映像信号をＣＰＵ１に出力する。ＣＰＵ１は、表示ドライバ１２を介してそのディジタル映像信号を表示部１３に出力してテレビ画像を表示する。また、音声復号部８は、ＯＦＤＭ復調部６から出力された音声の符号化データを復号してディジタル音声信号をＣＰＵ１に出力する。ＣＰＵ１は、そのディジタル音声信号をアナログ信号に変換してスピーカ１６又はイヤホン１７に出力してテレビ音声を発生する。また、ＣＰＵ１はＲＦブロック４が着信を検知したときは、サブ表示部１４の点滅やスピーカ１６の着信音によって呼出報知を行う。
【００１９】
スイッチ部９は、携帯電話のためのオフフックスイッチ、オンフックスイッチ、発信スイッチ、カーソルスイッチ、実行スイッチ、クリアスイッチ、数字スイッチなどのキースイッチ群で構成されており、その中の１つのスイッチがテレビスイッチと兼用されている。電話番号入力用のスイッチなど、多くのスイッチは蓋部を開いた状態で操作できるが、一部のスイッチは蓋部を閉じた状態でも操作することができる。マイク１５は、通話処理においてユーザの音声を電気信号に変換してＣＰＵ１に入力する。アドレスメモリ１０は、フラッシュＲＯＭやＳＲＡＭなどの不揮発性メモリからなるアドレス帳であり、家族や知人、仕事関係者などの携帯電話や固定電話の所有者の名前、電話番号、メールアドレス、住所などを登録することができる。画像メモリ１１は、表示部１３に表示すべき画面の画像データをストアするエリア、受信した地上波ディジタル放送から抽出した静止画や動画の画像データをストアするエリアなどを有する。
【００２０】
なお、アドレスメモリ１０の一部のエリアには、郵便番号の入力によって確定する地域コードが登録されている。この実施形態においては、図９に示すように、都道府県および区市町村の各住所に対応した地域コードテーブルが地域コードメモリとしてのＲＯＭ２にあらかじめ記録されており、例えば、東京都のＡＡＡ市の郵便番号をスイッチ部９から入力することによって、対応する地域コード「２５００４６」が、アドレスメモリ１０の一部のエリア又は他の不揮発性メモリ（図示せず）に登録される。したがって、ユーザが北海道のＤＤＤ市に住んでいる場合でも、東京都のＡＡＡ市の地域コードを登録することができる。あるいは、ＧＰＳ機能によって、現在地に対応する地域コードを登録することもできる。地上波ディジタル放送の放送地域が特定の地域向けの放送である場合には、放送信号とともに送信される伝送制御信号であるＴＭＣＣ（Transmission and Multiplexing Configuration Control）に、放送する地域の地域コードが含まれる。
【００２１】
この携帯電話は、上記したように、ＣＰＵ１などの電子部品やスイッチ部９を収容する本体と、表示部１３、サブ表示部１４などを収容する蓋部とが開閉可能な構造であり、そのため、折りたたみ機構・電源制御スイッチ１８（以下、総称して「折りたたみスイッチ」という）を具備している。蓋部が閉じられた状態では、この折りたたみスイッチはオフとなっている。一方、蓋部が開いた状態では、メールや地上波ディジタル放送の映像を表示部１３に表示することができる。
【００２２】
次に、この携帯電話における電話およびメールの送受信の動作、並びに、地上波ディジタル放送から受信した映像信号の処理について、ＣＰＵ１によって実行される図２ないし図８のフローチャート、および、図９ないし図１５のアドレスメモリ１０の内容や表示画面などの図に基づいて説明する。
図２ないし図７は、ＣＰＵ１のメインルーチンのフローチャートである。携帯電話の蓋部が開かれて電源スイッチがオンされたときは、所定のイニシャライズを行って（ステップＳＡ１）、表示部１３に待受画面の画像を表示する（ステップＳＡ２）。次に、オフフックスイッチが操作されたか否かを判別し（ステップＳＡ３）、このスイッチが操作されたときは、電話番号入力画面を表示部１３に表示する（ステップＳＡ４）。そして、スイッチ部９の操作によって電話番号が入力されたときは番号入力処理を行って(ステップＳＡ５)、電話網に対して発信する（ステップＳＡ６）。また、スピーカ１６によって呼出報知を行う（ステップＳＡ７）。この呼出報知の間に、発信に応答して被呼側との間に回線接続が確立したか否かを判別し（ステップＳＡ８）、回線接続が確立したときは、通話処理に遷移して音声信号の送受信を行う（ステップＳＡ９）。
【００２３】
通話処理においては、オンフックスイッチが操作されたか否かを判別し（ステップＳＡ１０）、このスイッチが操作されたときは、回線切断などの終話処理を行う（ステップＳＡ１１）。終話処理の後は、ステップＳＡ２に移行して再び待受画面の画像を表示部１３に表示する。ステップＳＡ３において、オフフックスイッチが操作されない場合には、図３のフローチャートにおいて、テレビスイッチがオン操作されたか否かを判別し（ステップＳＡ１２）、このスイッチがオンされたときは、テレビ受像部の電源をオンにして（ステップＳＡ１３）、地上波ディジタル放送を受信する。
【００２４】
次に、受信した地上波ディジタル放送のＴＭＣＣに含まれている緊急放送フラグ又は臨時放送フラグが「１」であるか否かを判別する(ステップＳＡ１４)。いずれのフラグも「０」である場合には、テレビ受像部からの映像を表示部１３に表示し(ステップＳＡ１５)、テレビ受像部からの音声信号をスピーカ１６に出力する(ステップＳＡ１６)。この状態において、テレビスイッチがオフされたか否かを判別し(ステップＳＡ１７)、このスイッチがオフでない場合には、テレビ放送を受信しながら、ステップＳＡ１４において緊急放送フラグ又は臨時放送フラグが「１」であるか否かを判別する。テレビスイッチがオフされたときは、テレビ受像部の電源をオフにして(ステップＳＡ１８)、図２のステップＳＡ２に移行して待受画面の画像を表示する。
【００２５】
図３のステップＳＡ１４において、緊急放送フラグ又は臨時放送フラグが「１」である場合には、現在の日時を取得し(ステップＳＡ１９)、受信している地上波ディジタル放送の放送地域を特定するための地域コードを検出する(ステップＳＡ２０)。そして、検出した地域コードが、アドレスメモリ１０に登録されている地域コードと同一であるか否かを判別する（ステップＳＡ２１）。地域コードが同一である場合には、緊急放送又は臨時放送の情報をＲＡＭ３にストアする（ステップＳＡ２２）。例えば、緊急放送又は臨時放送の放送地域が、東京都ＡＡＡ市である場合には、ＴＭＣＣの地域コードは「２５００４６」になっているので、図９に示すように、アドレスメモリ１０に同一の地域コード「２５００４６」が登録されている場合には、緊急放送又は臨時放送の情報をＲＡＭ３にストアする。次に、アドレス帳であるアドレスメモリ１０からデータを取り出す（ステップＳＡ２３）。そして、送付フラグが「１」であるか否かを判別する（ステップＳＡ２４）。送付フラグは、緊急放送又は臨時放送の情報を転送するか否かを判別するために、アドレス登録時又はアドレス登録後に設定するフラグであり、「１」が転送することを表し、「０」が転送しないことを表す。
【００２６】
送付フラグが「１」である場合には、ＴＭＣＣから検出された地域コードと同一の地域コードをそのデータが有するか否かを判別する（ステップＳＡ２５）。図１０は、アドレスメモリ１０のデータの一部を示す図である。この例では、東京都ＡＡＡ市に住所のある二人の名前「ａａ  ａａ」および「ｂｂ  ｂｂ」が登録されているが、「ｂｂ  ｂｂ」の住所の「ＡＡＡ市」には地域コード「２５００４６」が付加されている。検出された地域コードが「２５００４６」である場合には、「ｂｂ  ｂｂ」のデータの地域コードと一致する。
【００２７】
送付フラグが「１」であるか又は「０」であるかを確認するために、図１１に示すように、アドレスメモリ１０の各データの中に、送付フラグが「１」のデータには「緊急放送：送付する」と表示し、送付フラグが「０」のデータには「緊急放送：送付しない」と表示する。図１２は、アドレスメモリ１０の任意のアドレスを表示した図である。この図に示すように、緊急放送の送付の有無は、「有り」および「無し」のどちらかのアイコンの反転表示で分かるようになっている。
【００２８】
なお、緊急放送又は臨時放送を送信する相手の住所が検出された地域コードと同じか否かを判断するために、図９に示したＲＯＭの地域コードテーブルを使って検索してもよい。例えば、検出された地域コード「２５００４６」に対応する住所「東京都ＡＡＡ市」を検索して、アドレスメモリ１０から同じ住所を持つデータを検出するようにしてもよい。あるいは、アドレスメモリ１０において、緊急放送又は臨時放送を転送する相手の住所の代わりに地域コードを登録してもよい。すなわち、図１０において、住所の「ＡＡＡ市」には地域コード「２５００４６」を付加するのではなく、地域コードのみを登録する。さらにこの場合において、登録は地域コードでも表示する内容は対応する住所にしてもよい。すなわち、アドレスメモリ１０には地域コード「２５００４６」を登録するが、表示については住所の「ＡＡＡ市」とする。
【００２９】
ステップＳＡ２５において、検出された地域コードと同一の地域コードをそのデータが有する場合には、さらに、メールアドレスがあるか否かを判別する（ステップＳＡ２６）。メールアドレスがある場合には、そのメールアドレスが複数であるか否かを判別する（ステップＳＡ２７）。メールアドレスが複数である場合には、優先順位の高いメールアドレスを選択する（ステップＳＡ２８）。例えば、図１０の場合には、携帯電話のメールアドレスとパソコンなどの他のメールアドレスが優先順に登録されているので、優先順位の高い最初の携帯電話のメールアドレスを選択する。
【００３０】
複数のメールアドレスの中から優先順位の高いメールアドレスを選択した後、又は、メールアドレスが１つのみで、そのメールアドレスを選択した場合には、図４のフローチャートにおいて、メール作成画面を表示し（ステップＳＡ２９）、その宛先に選択されたメールアドレスを記憶して表示する（ステップＳＡ３０）。次に、図９に示す地域コードメモリであるＲＯＭ２から、地域コードに対応する地域名を検出する（ステップＳＡ３１）。そして、受信したのが緊急放送である場合には、メールの件名のエリアに「（地域名）緊急放送」を記憶して、その件名を画面に表示する（ステップＳＡ３２）。
【００３１】
また、特定のソフトウェアを内蔵していない携帯電話では、送信した図および表を表示できない場合もあるので、放送内の図や表を削除し（ステップＳＡ３３）、メールの本文のエリアにテキスト部分を記憶して、その本文を画面に表示する（ステップＳＡ３４）。さらに、図３のステップＳＡ１９で取得した現在の日時を本文に追加する（ステップＳＡ３５）。また、放送内にイメージ（静止画）や動画が含まれているか否かを判別し（ステップＳＡ３６）、イメージ、動作が含まれている場合には、添付ファイルとして付加し（ステップＳＡ３７）、そのファイル名を記憶し、添付ファイルである旨を画面に表示する（ステップＳＡ３８）。図１３ないし図１５は、表示されたメールの画面を示している。
図１３は、添付ファイルがないテキストだけのメールである。図１４は、火事現場などのイメージが添付ファイルとして追加されたメールである。図１５は、本文に火事の日時が追加されているメールである。
【００３２】
図４のステップＳＡ３８においてファイル名を記憶して、画面に表示した後、又は、ステップＳＡ３６において、放送内にイメージおよび動画がない場合には、図５のフローチャートにおいて、表示画面内の送信アイコンをフォーカスする（ステップＳＡ３９）。すなわち、図１３ないし図１５の画面に示すように、送信アイコンの表示形態を変更する。そして、左右カーソルスイッチがオンされたか否かを判別し（ステップＳＡ４０）、このスイッチがオンされたときは、フォーカスするアイコンを「送信」又は「キャンセル」に変更する（ステップＳＡ４１）。そして、実行スイッチがオンされたか否かを判別する（ステップＳＡ４２）。実行スイッチがオンされない場合には、ステップＳＡ４０において、カーソルスイッチがオンされたか否かを判別する。
【００３３】
実行スイッチがオンされたときは、フォーカス位置が「送信」のアイコンであるか否かを判別し(ステップＳＡ４３)、このアイコンにフォーカス位置がある場合には、メール送信処理を実行する(ステップＳＡ４４)。フォーカス位置が「送信」のアイコンにない場合には、フォーカス位置が「キャンセル」のアイコンであるか否かを判別し(ステップＳＡ４５)、このアイコンにフォーカス位置がある場合には、メール内容をクリアする(ステップＳＡ４６)。メール送信処理若しくはメール内容をクリアした後、又は、アドレス帳から取り出したデータが、図３のステップＳＡ２４において送付フラグが「０」である場合、緊急放送又は臨時放送から検出された地域コードがステップＳＡ２５においてアドレスメモリ１０の地域コードと異なる場合、若しくはステップＳＡ２６においてメールアドレスがない場合には、アドレスメモリ１０のアドレス帳のデータを全て調べたか否かを判別する(ステップＳＡ４７)。全部調べていない場合には、別のアドレスデータを取り出す(ステップＳＡ４８)。そして、図３のステップＳＡ２４に移行して、同様の処理を繰り返す。
図５のステップＳＡ４７において、アドレス帳の全てのデータを調べた場合には、地上波ディジタル放送の受信を続けならがら、図３のステップＳＡ１４において、緊急放送フラグ又は臨時放送フラグが「１」になったか否かを判別する。
【００３４】
図３のステップＳＡ１２において、テレビスイッチがオンでない場合には、図６のフローチャートにおいて、アドレス帳登録スイッチがオンされたか否かを判別する(ステップＳＡ４９)。このスイッチがオンされたときは、アドレス帳登録画面を表示して(ステップＳＡ５０)、緊急放送および臨時放送（以下、「緊急放送」で代表する）「有り」のアイコンをフォーカスする(ステップＳＡ５１)。アドレス登録画面は、図１２において、名前、電話、メール、住所の入力エリアにまだ文字が表示されていない状態であり、ステップＳＡ５１の処理によって、画面下の「有り」のアイコンの表示色が変更される。次に、データ入力の準備のために、ひとつの入力エリアに文字カーソルを表示する(ステップＳＡ５２)。最初は、一番上の名前の入力エリアの左端に文字カーソルを表示する。そして、スイッチ操作を待つ。
【００３５】
上下カーソルスイッチがオンされたか否かを判別し(ステップＳＡ５３)、このスイッチがオンされたときは、文字入力カーソルが一番下の住所の入力エリアであるか否かを判別する(ステップＳＡ５４)。一番下の住所の入力エリアである場合には、さらにその下の２つのアイコン「有り」および「無し」を点滅して(ステップＳＡ５５)、緊急放送の送付の有無を決定するように促す。一方、文字入力カーソルが一番下の住所の入力エリアでない場合には、アイコン「有り」および「無し」が点滅中であるか否かを判別し(ステップＳＡ５６)、点滅中である場合には、文字入力カーソルを一番上の名前の入力エリアへ移動する(ステップＳＡ５７)。アイコン「有り」および「無し」が点滅中でない場合、すなわち、文字入力カーソルが名前、電話、メールのいずれかの入力エリアである場合には、上下カーソルスイッチのオン操作に応じて、文字入力カーソルを上又は下の入力エリアへ移動する(ステップＳＡ５８)。
【００３６】
上下カーソルスイッチがオンでない場合、又は、上下カーソルスイッチのオン操作に応じた処理の後は、左右カーソルスイッチがオンされたか否かを判別する(ステップＳＡ５９)。このスイッチがオンされたときは、文字入力カーソルはいずれかの入力エリアにあるか否かを判別する(ステップＳＡ６０)。いずれかの入力エリアにある場合には、左右カーソルスイッチのオン操作に応じて、文字カーソル位置を左又は右へ移動する(ステップＳＡ６１)。文字入力カーソルがいずれの入力エリアにもない場合、すなわち、アイコン「有り」および「無し」が点滅中である場合には、フォーカスするアイコンを変更する(ステップＳＡ６２)。
【００３７】
ステップＳＡ６１において、文字入力カーソルを移動した後、ステップＳＡ６２において、フォーカスのアイコンを変更した後、又は、上下カーソルスイッチおよび左右カーソルスイッチがオンでない場合には、図７のフローチャートにおいて、文字入力がされたか否かを判別する(ステップＳＡ６３)。文字入力がされない場合には、特定の記号が入力されたか否かを判別する(ステップＳＡ６４)。特定の記号としては、アスタリスク（＊）やシャープ（＃）などがある。特定の記号が入力されたときは、キーワード登録用のフラグＫＷＦを反転する(ステップＳＡ６５)。一方、文字入力がされたときは、ＫＷＦが「１（キーワード登録）」であるか否かを判別する(ステップＳＡ６６)。ＫＷＦが「１」である場合には、アドレスメモリ１０又は他の不揮発性メモリのキーワードエリアに入力文字をストアして(ステップＳＡ６８)、入力文字を表示し、入力文字カーソルを移動する(ステップＳＡ６８)。例えば、特定の記号がアスタリスク（＊）である場合には、「＊ＡＡＡ市＊」と入力すると、「ＡＡＡ市」がキーワードエリアにストアされる。「＊ＡＢ区ＣＤ１２３＊」と入力すると、「ＡＢ区ＣＤ１２３」がキーワードエリアにストアされる。
【００３８】
ステップＳＡ６５においてＫＷＦを反転した後、又は、ステップＳＡ６８において文字入力カーソルを移動した後は、登録スイッチがオンされたか否かを判別する(ステップＳＡ６９)。このスイッチがオンでない場合、又は、ステップＳＡ６３およびステップＳＡ６４において、文字も特定の記号も入力されない場合には、図６のステップＳＡ５２に移行して、ひとつの入力エリアに文字入力カーソルを表示して、カーソルスイッチのオン操作を判別する。
【００３９】
図７のステップＳＡ６９において、登録スイッチがオンされたときは、アドレスメモリ１０内エリアに領域を確保して(ステップＳＡ７０)、入力された名前、電話番号、メールアドレス、住所をストアする(ステップＳＡ７１)。次に、緊急放送の送付を示す「有り」アイコンがフォーカスされているか否かを判別し(ステップＳＡ７２)、このアイコンがフォーカスされている場合には、「緊急放送」のエリアに「送付する」をストアし(ステップＳＡ７３)、送付フラグを「１」にセットする(ステップＳＡ７４)。一方、「キャンセル」アイコンがフォーカスされている場合には、「緊急放送」のエリアに「送付しない」をストアし(ステップＳＡ７５)、送付フラグを「０」にリセットする(ステップＳＡ７６)。送付フラグを「１」又は「０」にセット又はリセットした後は、図２のステップＳＡ２に移行して、待受画面を表示する。
【００４０】
図３のステップＳＡ２１において、緊急放送又は臨時放送から検出した地域コードが地域コードメモリの地域コードと異なる場合、例えば、特定の地域向けだけでなく関東地域向けや全国向けの緊急放送又は臨時放送の場合には、キーワードエリアからキーワードを取り出す(ステップＳＡ７７)。そして、取り出したキーワードを緊急放送又は臨時放送の情報の文字と照合し(ステップＳＡ７８)、キーワードと一致するか否かを判別する(ステップＳＡ７９)。例えば、関東地方に放送された緊急放送の情報が「東京都内で火災が発生しました。火災現場はＡＢ区ＣＤ１２３−３３３の○○さん宅です。燐火する可能性があります。」である場合には、取り出したキーワード「ＡＢ区ＣＤ１２３」が緊急放送の文字列と一致する。この場合には、地域コードが同一の場合と同様に、ステップＳＡ２２に移行して、図１１において該当する名前「ｃｃ  ｃｃ」の携帯電話に自動的に緊急放送の情報のメールを送信することになる。
ステップＳＡ７９において、キーワードが一致しない場合には、ステップＳＡ１５に移行して、その緊急放送を画面に表示する。
【００４１】
図８は、着信検知処理のフローチャートである。ＲＦブロック４によって電話の着信を検知したときは、テレビ受像部がオンであるか否かを判別し(ステップＳＢ１)、オンである場合には一時的にオフにする（ステップＳＢ２）。テレビ受像部がオフの場合又は一時オフにした後は、スピーカ１６によって着信の呼出報知を行う(ステップＳＢ３)。そして、オフフックスイッチがオンされたか否かを判別し（ステップＳＢ４）、このスイッチがオンされたときは呼出報知を停止して、発呼側との回線接続を行って通話処理に遷移する（ステップＳＢ５）。通話処理においては、オンフックスイッチがオンされたか否かを判別し（ステップＳＢ６）、このスイッチがオンされたときは、回線切断などの終話処理を行う（ステップＳＢ７）。そして、テレビ受像部が一時オフであるか否かを判別し(ステップＳＢ８)、一時オフである場合には、テレビ受像部をオンに戻す（ステップＳＢ９）。テレビ受像部をオンに戻した後、又は、テレビ受像部が一時オフでなく、着信の前からオフ状態である場合には、メインルーチンに戻る。
【００４２】
以上のように、この実施形態によれば、ＣＰＵ１は、テレビ受像部によって受信された緊急放送又は臨時放送の情報がアドレスメモリ１０に記憶されているユーザの住所に関連するか否かを照合して、照合によって緊急放送又は臨時放送の情報がユーザの住所に関連する場合には、アドレスメモリ１０のメールアドレスの中から、照合した住所に対応するメールアドレスを抽出し、その抽出したメールアドレスの携帯電話に対して緊急放送又は臨時放送の情報を送信する。したがって、受信した緊急放送又は臨時放送に直接的に関連する相手を確実に検索して、その相手に緊急放送又は臨時放送の情報を転送できる。
【００４３】
また、この実施形態において、ＣＰＵ１は、テレビ受像部によって受信された緊急放送又は臨時放送がアドレスメモリ１０に記憶されている家族や知人の住所の地域に対応する地域向けの放送であるか否かを照合する。したがって、緊急放送又は臨時放送が家族や知人の住所に近い地域向けの放送である場合には、その緊急放送又は臨時放送を家族や知人の携帯電話にいち早く送信することができる。
さらに、この場合において、ＣＰＵ１は、アドレスメモリ１０又は他の不揮発性メモリにあらかじめ記憶されている地域コードに基づいて、テレビ受像部によって受信された緊急放送又は臨時放送が家族や知人の住所の地域に対応する地域向けの放送であるか否かを照合する。したがって、地域コードによって正確な照合結果が得られる。
【００４４】
あるいは、ＣＰＵ１は、受信された緊急放送又は臨時放送の情報に含まれている地域情報が登録操作によってアドレスメモリ１０に記憶されているキーワードと一致するか否かを照合する。したがって、家族や知人の住所の地域を特定する文字列をキーワードとして登録することで正確な照合結果が得られる。
【００４５】
また、上記実施形態においては、アドレスメモリ１０の各アドレスには緊急放送又は臨時放送の情報を自動的に送信することを識別する送付フラグが登録操作に応じて付加され、ＣＰＵ１は、送付フラグが「１」のアドレスのみを抽出する。したがって、緊急放送又は臨時放送の情報を自動的に送信する相手を確定して、送信の誤りを防止することができる。
さらに、この場合において、ＣＰＵ１は、抽出したされたアドレスの携帯電話に対して送信する緊急放送又は臨時放送の情報および送付フラグに対応する内容を表示部１３又は１４に表示する。したがって、緊急放送又は臨時放送の情報を送信する相手を表示によって確認することができる。
【００４６】
また、上記実施形態においては、ＣＰＵ１は、緊急放送又は臨時放送の情報並びに送信を実行する「送信」アイコン、送信を取り消す「キャンセル」アイコンを表示部１３に表示して、「送信」アイコンが操作に応じて選択された場合に緊急放送又は臨時放送の情報を送信する。したがって、送信するたびに手動操作で確実に送信相手を決定することで、送信の間違いを防止することができる。
【００４７】
また、上記実施形態においては、ＣＰＵ１は、送信する緊急放送又は臨時放送の情報にテキストデータ以外の図若しくは表からなる画像又は図および表からなる画像が含まれている場合には、その画像を削除してテキストデータのみを抽出して送信する。したがって、特定のソフトウェアを内蔵していない携帯電話に対して、図や表を解読できないデータが送信されて、混乱を招くような事態を未然に防止できる。
【００４８】
また、上記実施形態においては、送信する緊急放送又は臨時放送の情報にテキストデータ以外の静止画又は動画からなる画像が含まれている場合には、その画像をテキストデータの添付ファイルとして編集して、テキストデータおよび添付ファイルを送信する。したがって、緊急放送又は臨時放送の情報を的確に表せる画像も送信することができる。
【００４９】
また、上記実施形態においては、同一のユーザに対応する複数のアドレスがアドレスメモリ１０にある場合には、携帯電話のアドレスに対して優先的に緊急放送又は臨時放送の情報を送信する。したがって、携帯している確立が高い電話に対して緊急放送又は臨時放送の情報を送信できる。
【００５０】
また、上記実施形態においては、送信する緊急放送又は臨時放送の情報に、受信した日時を付加して送信する。したがって、その緊急放送又は臨時放送を受信した相手は、緊急放送又は臨時放送の放送日時を容易に把握できる。
【００５１】
なお、上記実施形態における携帯電話は、ＲＯＭ２にあらかじめ記憶されている通信制御処理のプログラムをＣＰＵ１が実行する構成にしたが、ＲＦブロック４を介して、外部のサーバから通信制御処理のプログラムを受信して、書き換え可能なフラッシュメモリなどの不揮発性メモリにインストールして、それをＣＰＵ１が実行する構成も可能である。この場合には、プログラムの発明を実現することができる。
【００５２】
すなわち、そのプログラムは、テレビジョン放送を受信する第１のステップと、
前記第１のステップによって受信された緊急放送又は臨時放送の情報が少なくとも１つ以上の通信端末装置のアドレスおよびそのユーザに関する地域情報を記憶しているアドレス記憶手段における地域情報と関連するか否かを照合する第２のステップと、
前記第２のステップによって放送の情報が前記アドレス記憶手段に記憶されている地域情報に関連すると照合された場合には、前記アドレス記憶手段のアドレスの中から当該地域情報に対応するアドレスを抽出する第３のステップと、
前記第３のステップによって抽出されたアドレスの通信端末装置に対して緊急放送又は臨時放送の情報を送信する第４のステップと、
を実行する。
【図面の簡単な説明】
【００５３】
【図１】本発明の通信端末装置の実施例における携帯電話の構成を示すブロック図。
【図２】実施形態における携帯電話の動作を示すＣＰＵのメインルーチンのフローチャート。
【図３】図２に続くＣＰＵのメインルーチンのフローチャート。
【図４】図３に続くＣＰＵのメインルーチンのフローチャート。
【図５】図４に続くＣＰＵのメインルーチンのフローチャート。
【図６】図３に続くＣＰＵのメインルーチンのフローチャート。
【図７】図６に続くＣＰＵのメインルーチンのフローチャート。
【図８】ＣＰＵの着信検知のフローチャート。
【図９】図１のＲＯＭの地域コートテーブルから地域コードを選択してアドレスメモリにストアする状態を示す図。
【図１０】図１のアドレスメモリにおけるデータの内容を示す図。
【図１１】図１のアドレスメモリにおけるデータにおいて緊急放送を送付するか送付しないかを識別する情報を付加した図。
【図１２】図１のアドレスメモリに登録する登録画面を示す図。
【図１３】テキストデータのみのメール本文を示す画面の図。
【図１４】テキストデータのメール本文と画像の添付ファイルを示す画面の図。
【図１５】メール本文のテキストデータに放送の受信日時を付加した画面の図。
【符号の説明】
【００５４】
１  ＣＰＵ
２  ＲＯＭ
３  ＲＡＭ
４  ＲＦブロック
５  チューナ
６  ＯＦＤＭ復調部
７  映像復号部
８  音声復号部
９  スイッチ部
１０  アドレスメモリ
１１  画像メモリ
１２  表示ドライバ
１３  表示部
１４  サブ表示部
１５  マイク
１６  スピーカ
１７  イヤホン
１８  折りたたみ機構・電源制御スイッチ
【図１】
2005277630.tif 000003
【図２】
2005277630.tif 000004
【図３】
2005277630.tif 000005
【図４】
2005277630.tif 000006
【図５】
2005277630.tif 000007
【図６】
2005277630.tif 000008
【図７】
2005277630.tif 000009
【図８】
2005277630.tif 000010
【図９】
2005277630.tif 000011
【図１０】
2005277630.tif 000012
【図１１】
2005277630.tif 000013
【図１２】
2005277630.tif 000014
【図１３】
2005277630.tif 000015
【図１４】
2005277630.tif 000016
【図１５】
2005277630.tif 000017